(57)【要約】  第１及び第２面と連続外周とを有する順応性の膜を備える担体提供式包帯が開示される。該順応性の膜は、該外周の概ねＣ型の第１部分に沿う該第１面上に配置された圧力感応性接着剤の連続ストリップと、実質的に接着剤の無い該外周の第２部分と、を有する。付着前に該圧力感応性の接着剤ストリップをカバーし、保護する１つ以上のリリースライナーが提供される。１つ以上のオプション的に除去可能なリリースライナーを有し該連続する外周付近に圧力感応性接着剤の実質的に連続するストリップを備える代わりの実施例も開示される。重なり合う配列の仕方で該包帯が付けられる使用法は長い切開創又は裂創の簡便な保護を可能にする。
2008512191.tif 000002
【特許請求の範囲】
【請求項１】
担体提供式包帯に於いて、該包帯が
ａ）第１及び第２面と、連続する外周と、を有する順応性の膜と、
ｂ）該外周の概ねＣ型の第１部分に沿う前記第１面上に配置された圧力感応性接着剤の連続ストリップと、を具備しており、該外周の第２部分は接着剤無しであり、該包帯は又、
ｃ）前記圧力感応性の接着剤ストリップをカバーする１つ以上のリリースライナーと、そして
ｄ）該順応性の膜の該第２面の少なくとも１部分にリリース可能に取り付けられた担体と、を具備することを特徴とする該包帯。
【請求項２】
該順応性の膜が透明であることを特徴とする請求項１の該担体提供式包帯。
【請求項３】
該順応性の膜が呼吸可能であることを特徴とする請求項１の該担体提供式包帯。
【請求項４】
該担体が透明であることを特徴とする請求項１の該担体提供式包帯。
【請求項５】
該担体が、窓を規定するカットであるが、付着面の該窓を通しての可視化を、該付着過程時に、可能にする該窓を規定する該カットを備えることを特徴とする請求項１の該担体提供式包帯。
【請求項６】
更に該順応性の膜の該第２面の少なくとも１部分上に低接着性コーティングを具備することを特徴とする請求項１の該担体提供式包帯。
【請求項７】
該デバイスが、ロールの形式であるが、該順応性膜の接着剤の無い部分に対応した該ロールの中心軸線を有する該ロールの形式でパッケージされることを特徴とする請求項１の該担体提供式包帯。
【請求項８】
担体提供式包帯に於いて、該包帯が
ａ）第１及び第２面と、連続する外周と、を備える順応性の膜を具備しており、圧力感応性接着剤の連続ストリップを有する該連続する外周は２つのセクション、すなわち、
ｉ）概ねＣ型のセクションと、そして
ｉｉ）第２セクションと、
を有しており、該包帯は又、
ｂ）該概ねＣ型のセクション上の圧力感応性の接着剤ストリップをカバーする１つ以上のリリースライナーと、
ｃ）該第２セクションを保護するオプション的に除去可能なリリースライナーと、そして
ｄ）該順応性膜の該第２面の少なくとも１部分にリリース可能に取り付けられた担体と、を具備することを特徴とする該包帯。
【請求項９】
該順応性の膜が透明であることを特徴とする請求項８の該担体提供式包帯。
【請求項１０】
該順応性の膜が呼吸可能であることを特徴とする請求項８の該担体提供式包帯。
【請求項１１】
該担体が透明であることを特徴とする請求項８の該担体提供式包帯。
【請求項１２】
該担体が、窓を規定するカットであるが、付着面の該窓を通しての可視化を、該付着過程時に、可能にする該窓を規定する該カットを有することを特徴とする請求項８の該担体提供式包帯。
【請求項１３】
更に該順応性の膜の該第２面の少なくとも１部分上に低接着性コーティングを具備することを特徴とする請求項８の該担体提供式包帯。
【請求項１４】
該デバイスが、ロールの形式であるが、該順応性の膜の圧力感応性接着剤の第２セクションを有する部分に対応した該ロールの中心軸線を有する該ロールの形式でパッケージされることを特徴とする請求項８の該担体提供式包帯。
【請求項１５】
担体提供式包帯に於いて、該包帯が、
ａ）第１及び第２面と、第１，第２、第３そして第４エッジと、を有する順応性の膜と、
ｂ）前記第１、第２そして第３エッジの各１つに沿う前記第１面上に配置された圧力感応性接着剤のストリップと、を具備しており、該第４エッジは圧力感応性接着剤無しであり、該包帯は又、
ｃ）前記第１，第２そして第３エッジに沿う前記圧力感応性接着剤をカバーする１つ以上のリリースライナーと、そして
ｄ）該順応性の膜の該第２面の少なくとも１部分にリリース可能に取り付けられた担体と、を具備することを特徴とする該包帯。
【請求項１６】
該順応性の膜が長軸及び短軸を備えており、該第４エッジが該短軸と概ね平行な方向に配向されていることを特徴とする請求項１５の該担体提供式包帯。
【請求項１７】
該順応性の膜が透明であることを特徴とする請求項１５の該担体提供式包帯。
【請求項１８】
該順応性膜が呼吸可能であることを特徴とする請求項１５の該担体提供式包帯。
【請求項１９】
該担体が透明であることを特徴とする請求項１５の該担体提供式包帯。
【請求項２０】
該担体が、窓を規定するカットであるが、付着面の該窓を通しての可視化を、該付着過程時に、可能にする該窓を規定する該カットを有することを特徴とする請求項１５の該担体提供式包帯。
【請求項２１】
更に該順応性の膜の該第２面の少なくとも１部分上に低接着性コーティングを具備することを特徴とする請求項１５の該担体提供式包帯。
【請求項２２】
該デバイスが、ロールの形式であるが、該順応性の膜の該第４エッジに概略対応した該ロールの中心軸線を有する該ロールの形式でパッケージされることを特徴とする請求項１５の該担体提供式包帯。
【請求項２３】
担体提供式包帯に於いて、該包帯が、
ａ）第１及び第２面と、第１，第２、第３そして第４エッジと、を有する順応性の膜と、
ｂ）前記第１、第２，第３そして第４エッジの各１つに沿う前記第１面上に配置された圧力感応性接着剤のストリップと、
ｃ）前記第１，第２そして第３エッジに沿う前記圧力感応性接着剤をカバーする１つ以上のリリースライナーと、
ｄ）該第４エッジの少なくとも１部分に沿い配置された該圧力感応性接着剤をカバーするオプション的に除去可能なリリースライナーと、を具備しており、該オプション的に除去可能なリリースライナーは該担体提供式包帯と組み合わされた他のリリースライナーから独立に除去可能であり、そして該包帯は又、
ｅ）該順応性の膜の該第２面の少なくとも１部分にリリース可能に取り付けられた担体を具備することを特徴とする該包帯。
【請求項２４】
該順応性の膜が長軸と短軸を備え、該第４エッジが該短軸と概ね平行な方向に配向されることを特徴とする請求項２３の該担体提供式包帯。
【請求項２５】
該順応性の膜が透明であることを特徴とする請求項２３の該担体提供式包帯。
【請求項２６】
該順応性の膜が呼吸可能であることを特徴とする請求項２３の該担体提供式包帯。
【請求項２７】
該担体が透明であることを特徴とする請求項２３の該担体提供式包帯。
【請求項２８】
該担体が、窓を規定するカットであるが、付着面の該窓を通しての可視化を、該付着過程時に、可能にする該窓を規定する該カットを備えることを特徴とする請求項２３の該担体提供式包帯。
【請求項２９】
該デバイスが、ロールの形式であるが、該順応性の膜の該第４エッジに概ね対応した該ロールの中心軸線を有する該ロールの形式でパッケージされることを特徴とする請求項２３の該担体提供式包帯。
【請求項３０】
更に該順応性の膜の該第２面の少なくとも１部分上に低接着性コーティングを具備することを特徴とする請求項２３の該担体提供式包帯。
【請求項３１】
傷又は切開創を包帯する方法に於いて、該方法が
ａ）１つ以上の傷包帯を提供する過程を具備しており、該１つ以上の傷包帯が
ｉ）第１及び第２面と、連続する外周と、を有する順応性の膜と、
ｉｉ）該外周の概ねＣ型の第１部分に沿う前記第１面上に配置された圧力感応性接着剤の連続ストリップと、を有しており、該外周の第２部分は接着剤無しであり、該１つ以上の傷包帯は又、
ｉｉｉ）前記圧力感応性の接着剤ストリップをカバーする１つ以上のリリースライナーと、そして
ｉｖ）該順応性の膜の該第２面の少なくとも１部分にリリース可能に取り付けられた担体と、を有しており、該方法は又
ｂ）第１傷包帯を個人の皮膚へ、圧力感応性接着剤の該連続ストリップが該傷又は切開創の第１端部付近の保護された帯域をシールするように、付ける過程と、
ｃ）該圧力感応性接着剤と該傷又は切開創との間の接触を避けながら、該傷又は切開創の全長に沿い該保護された帯域を延ばすために重なり合い配列の仕方で追加の傷包帯をオプション的に付ける過程と、そして
ｄ）該傷又は切開創の第２端部を超える該保護された帯域の延長に続いて該保護された帯域をシールする過程と、を具備することを特徴とする該方法。
【請求項３２】
該順応性の膜が透明であることを特徴とする請求項３１の該方法。
【請求項３３】
該順応性膜が呼吸可能であることを特徴とする請求項３１の該担体提供式包帯。
【請求項３４】
該担体が透明であることを特徴とする請求項３１の該方法。
【請求項３５】
該担体が、窓を規定するカットであるが、付着面の該窓を通しての可視化を、該付着過程時に、可能にする該窓を規定する該カットを有することを特徴とする請求項３１の該担体提供式包帯。
【請求項３６】
更に該順応性の膜の該第２面の少なくとも１部分上に低接着性コーティングを有することを特徴とする請求項３１の該方法。
【請求項３７】
該デバイスが、ロールの形式であるが、接着剤無しである該順応性の膜の部分に対応した該ロールの中心軸線を有する該ロールの形式でパッケージされることを特徴とする請求項３１の該方法。
【請求項３８】
傷又は切開創を包帯する方法に於いて、該方法が
ａ）１つ以上の傷包帯を提供する過程を具備しており、該１つ以上の傷包帯が
ｉ）第１及び第２面と、連続する外周と、を有する順応性の膜を有しており、圧力感応性接着剤の連続ストリップを有する該連続する外周は下記２つのセクション、すなわち、
（１）概ねＣ型のセクションと、そして
（２）第２セクションと、
を有しており、該１つ以上の傷包帯は又
ｉｉ）該概ねＣ型のセクション上の圧力感応性の接着剤のストリップをカバーする１つ以上のリリースライナーと、
ｉｉｉ）第２セクションを保護するオプション的に除去可能なリリースライナーと、そして
ｉｖ）該順応性の膜の該第２面の少なくとも１部分にリリース可能に取り付けられた担体と、を有しており、該方法は又
ｂ）第１傷包帯を個人の皮膚へ、圧力感応性接着剤の該概ねＣ型のセクションが該傷又は切開創の第１端部付近の保護された帯域をシールするように、付ける過程と、
ｃ）該圧力感応性接着剤と該傷又は切開創との間の接触を避けながら、該傷又は切開創の全長に沿い該保護された帯域を延ばすために重なり合い配列の仕方で追加の傷包帯をオプション的に付ける過程と、そして
ｄ）該傷又は切開創の第２端部を超える該保護された帯域の延長に続いて該保護された帯域をシールする過程と、を具備することを特徴とする該方法。
【請求項３９】
該順応性膜が透明であることを特徴とする請求項３８の該方法。
【請求項４０】
該順応性膜が呼吸可能であることを特徴とする請求項３８の該方法。
【請求項４１】
該担体が透明であることを特徴とする請求項３８の該方法。
【請求項４２】
該担体が、窓を規定するカットであるが、付着面の該窓を通しての可視化を、該付着過程時に、可能にする該窓を規定する該カットを有することを特徴とする請求項３８の該方法。
【請求項４３】
更に該順応性の膜の該第２面の少なくとも１部分上に低接着性コーティングを有することを特徴とする請求項３８の該方法。
【請求項４４】
該デバイスが、ロールの形式であるが、該順応性の膜の圧力感応性接着剤の第２セクションを有する部分に対応した該ロールの中心軸線を有する該ロールの形式でパッケージされることを特徴とする請求項３８の該方法。
【発明の詳細な説明】
【技術分野】
【０００１】
本発明は一般的に包帯（ｄｒｅｓｓｉｎｇ）システムに関し、特に傷（ｗｏｕｎｄ）長さに応じ使用数を変えるモジュール型傷包帯システム（ｍｏｄｕｌａｒ  ｗｏｕｎｄ  ｄｒｅｓｓｉｎｇ  ｓｙｓｔｅｍ）に関する。
【背景技術】
【０００２】
包帯（ｄｒｅｓｓｉｎｇｓ）を要する切開創（ｉｎｃｉｓｉｏｎｓ）、裂創（ｌａｃｅｒａｔｉｏｎｓ）又は他の傷（ｗｏｕｎｄｓ）は長さが非常に変わり得る。この様な傷は治癒過程を促進するため防水性（ｗａｔｅｒｐｒｏｏｆ）、蒸気浸透性（ｖａｐｏｒ−ｐｅｒｍｅａｂｌｅ）の膜（ｍｅｍｂｒａｎｅ）によりカバーされるのが好ましい。当該技術では、広範な種類の順応性膜（ｃｏｎｆｏｒｍａｂｌｅ  ｆｉｌｍ）包帯（ｄｒｅｓｓｉｎｇｓ）が公知であるが、現在、種々の長さを有する傷に関連して使用するよう容易に適用可能で、該傷範囲に接着剤の無い（ｆｒｅｅ  ｏｆ  ａｄｈｅｓｉｖｅ）傷包帯（ｗｏｕｎｄ  ｄｒｅｓｓｉｎｇ）は存在しない。
【特許文献１】米国特許第５，７３８，６４２号明細書
【特許文献２】米国特許第Ｒｅ．２４，９０６号明細書
【特許文献３】米国特許第３，３８９，８２７号明細書
【特許文献４】米国特許第４，１１２，２１３号明細書
【特許文献５】米国特許第４，３１０，５０９号明細書
【特許文献６】米国特許第４，３２３，５５７号明細書
【特許文献７】米国特許第５，５３１，８５５号明細書
【発明の開示】
【課題を解決するための手段】
【０００３】
本発明は、１側面では、第１及び第２面（ｆｉｒｓｔ  ａｎｄ  ｓｅｃｏｎｄ  ｓｕｒｆａｃｅｓ）と連続する外周（ｃｏｎｔｉｎｕｏｕｓ  ｏｕｔｅｒ  ｐｅｒｉｍｅｔｅｒ）とを有する順応性膜を備える担体提供式包帯（ｃａｒｒｉｅｒ−ｄｅｌｉｖｅｒｅｄ  ｄｒｅｓｓｉｎｇ）に関する。該順応性膜は該外周の概ねＣ型の第１部分（ｇｅｎｅｒａｌｌｙ  Ｃ−ｓｈａｐｅｄ  ｆｉｒｓｔ  ｐｏｒｔｉｏｎ）のみに沿う該第１面上に配置された圧力感応性接着剤（ｐｒｅｓｓｕｒｅ−ｓｅｎｓｉｔｉｖｅ  ａｄｈｅｓｉｖｅ）の連続ストリップ（ｃｏｎｔｉｎｕｏｕｓ  ｓｔｒｉｐ）を有し、かつ、実質的に無接着剤の該外周の第２部分を有する。付着（ａｐｐｌｉｃａｔｉｏｎ）前に該圧力感応性の接着剤ストリップをカバーし保護（ｐｒｏｔｅｃｔ）する１つ以上のリリースライナー（ｒｅｌｅａｓｅ  ｌｉｎｅｒｓ）が提供される。又、該順応性膜の該第２面の少なくとも１部分にリリース可能（ｒｅｌｅａｓａｂｌｙ）に取り付けられ、該順応性膜の取り扱い及び付着を容易化（ｆａｃｉｌｉｔａｔｅｓ）する担体（ｃａｒｒｉｅｒ）も提供される。
【０００４】
もう１つの実施例では、本発明は第１及び第２面と連続外周とを有する順応性膜を備える担体提供式包帯に関する。この実施例では、該連続外周は圧力感応性接着剤の連続ストリップを有する。この連続ストリップは２つのセクション（ｓｅｃｔｉｏｎｓ）、すなわち、概ねＣ型のセクションと、第２セクションと、を有する。１つ以上のリリースライナーは該概ねＣ型のセクション上の該圧力感応性の接着剤ストリップをカバーする。オプション式に除去可能（ｒｅｍｏｖａｂｌｅ）なリリースライナーが第２セクションを保護する。付着を容易にするために該順応性膜の該第２面の少なくとも１部分に担体基盤（ｃａｒｒｉｅｒ  ｓｕｂｓｔｒａｔｅ）がリリース可能に取り付けられる。
【０００５】
本発明の好ましい実施例では、該順応性膜は透明であり、そして／又は、呼吸可能（ｂｒｅａｔｈａｂｌｅ）である。又、付着過程時、該順応性膜が付着されるべき面の可視化を可能にするために、該担体が透明基盤で作られることも好ましい。透明担体基盤の代替えとして、窓（ｗｉｎｄｏｗ）を規定するカット（ｃｕｔ）が該担体基盤に導入されてもよい。該担体の、窓を規定する該カットと、該担体基盤の該外周と、の間に残る範囲が窓枠（ｗｉｎｄｏｗ  ｆｒａｍｅ）を規定する。付着過程時、該順応性膜が付着されるべき面は該窓を通して可視化され得る。
【０００６】
使用時、本発明の１つ以上の包帯は、傷上の又は傷に触れる接着剤無しに、傷（例えば、切開創又は裂創）付近に保護された、又は部分的に保護された帯域（ｚｏｎｅ）を形成するため使われてもよい。重なり合い配列の仕方で（ｉｎ  ａ  ｓｈｉｎｇｌｅｄ  ｍａｎｎｅｒ）付着した本発明の複数の包帯の使用法は、部分的に保護された帯域を延ばすために使われてもよく、該帯域は、望ましい長さに達すると、完全に保護された帯域を形成するため｛例えば、テープストリップ又は接着剤複合物（ａｄｈｅｓｉｖｅ  ｃｏｍｐｏｓｉｔｅ）を用いて｝シールされてもよい。
【実施例１】
【０００７】
本発明は接着剤が傷に直接触れない担体提供式包帯に関するが、該包帯は種々の長さの裂創又は切開創の包帯用に特に好適である。本発明の背景技術の節で論じた様に、その多くが担体提供式である広い範囲の順応性の包帯が当該技術で公知である。順応性で、呼吸可能な傷包帯膜（ｗｏｕｎｄ  ｄｒｅｓｓｉｎｇ  ｆｉｌｍ）は極度に薄く、そしてこれはこれらの包帯の快適性の責任を、多分に、担っている。該膜内にリンクル（ｗｒｉｎｋｌｅｓ）又は折り重なり（ｆｏｌｄｓ）を招くことなしに、この様な薄い膜の容易な付着を可能にするために担体が必要である。
【０００８】
本発明の実施例が長い切開創又は裂創と関連して使用するのに特に好適であるのは、それが、該裂創又は切開創を接着剤と接触させること無しに、該裂創又は切開創の部分上を横切ることが出来るように、該デバイスの１端が設計されている事実に依る。１実施例では、本発明は圧力感応性接着剤｛時には、膜／接着剤複合物（ｆｉｌｍ／ａｄｈｅｓｉｖｅ  ｃｏｍｐｏｓｉｔｅ）と呼ばれる｝でコートされた面の少なくとも１部分を有する順応性膜を備えた担体提供式包帯に関する。好ましくは、該順応性膜はポリマー膜（ｐｏｌｙｍｅｒｉｃ  ｆｉｌｍ）であるのがよい。この様なポリマー膜は、例えば、エラストマー性（ｅｌａｓｔｍｅｒｉｃ）のポリウレタン（ｐｏｌｙｕｒｅｔｈａｎｅ）、ポリエステル（ｐｏｌｙｅｓｔｅｒ）又はポリエーテル（ｐｏｌｙｅｔｈｅｒ）  ブロックアミド（ｂｌｏｃｋ  ａｍｉｄｅ）の膜である。
【０００９】
該膜の他の望ましい属性（ａｔｔｒｉｂｕｔｅｓ）は半透明（ｔｒａｎｓｌｕｃｅｎｔ）又は透明（ｃｌｅａｒ）な性質を含む。又、該膜が、水、汚れ（ｄｉｒｔ）又はバクテリアを該裂創又は切開創から排除し、一方カバーされたサイト（ｃｏｖｅｒｅｄ  ｓｉｔｅ）からの水蒸気の転送（ｔｒａｎｓｆｅｒ）を許容する能力を有することも好ましい。該膜／接着剤複合物の好ましい特性は、それが人体皮膚（ｈｕｍａｎ  ｓｋｉｎ）と類似（ｓｉｍｉｌａｒ）かそれより大きい割合（ｒａｔｅ）で水蒸気を輸送（ｔｒａｎｓｍｉｔ）する能力を有することである。この様な水蒸気転送の値は当該技術で公知であり、例えば、その開示が引用によりここに組み入れられる特許文献１で報告されている。
【００１０】
アレルギー反応（ａｌｌｅｒｇｉｃ  ｒｅｓｐｏｎｓｅ）を刺激することなしに人体皮膚へのポリマー膜の取り付けに好適な種々の圧力感応性接着剤が当該技術で公知であり、この様な材料は”低刺激性（ｈｙｐｏａｌｌｅｒｇｅｎｉｃ）”と呼ばれる。この様な接着剤は、例えば、その開示が引用によりここに組み入れられる特許文献２，３，４，５及び６に説明されている。下記説明から理解される様に、本発明の膜包帯の大きな部分は圧力感応性接着剤を含まず、それにより付けられる圧力感応性接着剤の蒸気浸透特性（ｖａｐｏｒ  ｐｅｒｍｅａｂｉｌｉｔｙ  ｃｈａｒａｃｔｅｒｉｓｔｉｃｓ）は該膜の全面がコートされる場合に於けるより重要性を低くされている。
【００１１】
当業者は該圧力感応性接着剤コーティングの保護で使用するために好適なリリースライナーは広い範囲の材料から作られ得ることを認識するであろう。この様な材料は、例えば、クラフトペーパー（ｋｒａｆｔ  ｐａｐｅｒ）、ポリエチレン（ｐｏｌｙｅｔｈｙｌｅｎｅ）、ポリプロピレン（ｐｏｌｙｐｒｏｐｙｌｅｎｅ）、ポリエステル（ｐｏｌｙｅｓｔｅｒ）又はこれらの材料の混合物（ｃｏｍｐｏｓｉｔｅｓ）を含む。該ライナーは好ましくは、例えば、フルオロケミカル（ｆｌｕｏｒｏｃｈｅｍｉｃａｌｓ）又はシリコーン（ｓｉｌｉｃｏｎｅｓ）を含む剥離剤（ｒｅｌｅａｓｅ  ａｇｅｎｔ）でコートされるのがよい。
【００１２】
本発明の担体提供式包帯の担体要素（ｃａｒｒｉｅｒ  ｅｌｅｍｅｎｔ）を作るため使われる基盤（ｓｕｂｓｔｒａｔｅ）はそれが提供するため使われる順応性膜より実質的に堅い（ｒｉｇｉｄ）。このより堅い基盤は、該順応性膜のリンクル発生と折り重なりを最小にしか伴わずに、順応性膜包帯の付着を可能にする。ここに説明した種類の担体要素を欠くなら、本発明と関連して使用される種類の薄い順応性膜の付着は極度に難しいか、非実用的となるであろう。
【００１３】
好ましい実施例では、該担体は順応性膜に加熱シール可能（ｈｅａｔ−ｓｅａｌａｂｌｅ）である。該順応性膜上への低接着性コーティング（ｌｏｗ−ａｄｈｅｓｉｏｎ  ｃｏａｔｉｎｇ）が該担体に取り付けられる面でオプション的に使われてもよい。該低接着性コーティングは下記でもっと詳しく論じられる。好ましい担体基盤は、例えば、ポリエチレン／ビニールアセテート共重合体コートされたペーパー（ｐｏｌｙｅｔｈｙｌｅｎｅ／ｖｉｎｙｌ  ａｃｅｔａｔｅ  ｃｏｐｏｌｙｍｅｒ−ｃｏａｔｅｄ  ｐａｐｅｒｓ）、ポリエステル膜（ｐｏｌｙｅｓｔｅｒ  ｆｉｌｍｓ）、そして高密度ポリエチレン（ｈｉｇｈ−ｄｅｎｓｉｔｙ  ｐｏｌｙｅｔｈｙｌｅｎｅ）又は他のポリマー複合物（ｐｏｌｙｍｅｒｉｃ  ｃｏｍｐｏｓｉｔｅｓ）を含む。付着時、可視化（ｖｉｓｕａｌｉｚａｔｉｏｎ）を可能にするため透明担体が好ましい。プリントされた、半透明の、又はカラーの、担体基盤も好適である。付着過程時、付着面の窓を通しての可視化を可能にするために、窓を規定するカットを有するよう不透明（Ｎｏｎ−ｃｌｅａｒ）担体基盤を変型（ｍｏｄｉｆｉｅｄ）してもよい。窓を規定するこの様なカットの導入は当該技術で公知であり、例えば、特許文献１及び７で開示されている。窓を規定する該カットの導入に続いて残る該窓枠は、該窓を規定する該カットと、該担体基盤の外周（ｏｕｔｅｒ  ｐｅｒｉｍｅｔｅｒ）又は外側エッジ（ｏｕｔｅｒ  ｅｄｇｅ）と、の間の該担体の範囲により表される。カットは、皮膚への該順応性膜の付着に続いて、該担体の除去を容易にするため該担体基盤内に提供されてもよい。これは該担体基盤内に窓を規定するカットを有する実施例では特に重要である。この様な実施例では、該窓を規定するカットを該基盤の外側エッジの部分へ接続する追加のカットは、該順応性膜の付着に続く該担体の除去を容易にする。
【００１４】
担体要素（ｃａｒｒｉｅｒ  ｅｌｅｍｅｎｔ）に取り付けられる順応性バッキング（ｃｏｎｆｏｒｍａｂｌｅ  ｂａｃｋｉｎｇ）の表面上への低接着性（ｌｏｗ−ａｄｈｅｓｉｏｎ）コーティングの使用は好ましい。ポリビニールＮオクタデシルカーバメート（ｐｏｌｙｖｉｎｙｌ  Ｎ−ｏｃｔａｄｅｃｙｌ  ｃａｒｂａｍａｔｅ）と、シリコーン樹脂のブレンドと、の溶液を含む好適な低接着性コーティングが、その開示が引用によりここに組み入れられる特許文献１で説明されている。この様な低接着性コーティングは該担体と該順応性膜との間の加熱シール結合（ｈｅａｔ  ｓｅａｌ  ｂｏｎｄ）と両立可能（ｃｏｍｐａｔｉｂｌｅ）であり、加熱シーリング後もその低接着特性が保持される。
【００１５】
前に論じられた様に、本発明の実施例は長い切開創又は裂創と関連しての使用に特に好適であるが、それは該デバイスの１端が、それが該裂創又は切開創を接着剤にさらすことなしに該裂創又は切開創の部分をブリッジするよう設計されている事実に依る。切開創又は裂創より他の傷と関連した該開示された包帯の使用は、本発明の範囲内に含まれるよう意図されている。本発明の好ましい実施例が下記節で詳細に論じられる。
【００１６】
好ましい実施例
図１を参照すると、本発明の好ましい実施例が線図式に描かれている。担体提供式包帯１０は３層の基盤材料、すなわち、順応性膜１２，リリースライナー１４そして担体材料１６、から成る。順応性膜１２は上面１８及び下面（示されてない）と連続外周１７とを有する。圧力感応性接着剤の連続ストリップ２０は該外周の連続する概ねＣ型の第１部分に沿う該下面の１部分上に提供され、図１でファンタム（ｐｈａｎｔｏｍ）で示される。該下面の該外周の第２部分は接着剤無し（ａｄｈｅｓｉｖｅ−ｆｒｅｅ）である。該順応性膜の該下面の該外周の圧力感応性接着剤の境界部（ｂｏｒｄｅｒ）２０を含む部分は部分的に保護された帯域（ｐａｒｔｉａｌｌｙ  ｐｒｏｔｅｃｔｅｄ  ｚｏｎｅ）２２を規定する。規定により、該部分的に保護された帯域は、該部分的に保護された帯域内の中心点２４に対して＋ｙ、−ｙそして＋ｘ寸法にその境界（ｂｏｎｄａｒｙ）を規定する圧力感応性接着剤のストリップを有する。図２の説明に関連して下記で説明する様に、該部分的に保護された帯域は該傷包帯過程の最終ステップで完全に保護された帯域（ｆｕｌｌｙ  ｐｒｏｔｅｃｔｅｄ  ｚｏｎｅ）を形成するようシールされるのが好ましい（すなわち、使われる実施例に依って、テープストリップ又は他の接着剤複合物の付着を通して又はオプション的に除去可能なリリースライナーの除去を通して）。該概ねＣ型の第１部分上の該接着剤は、１つのデバイスの付着時、その傷を不完全に囲む。該第１部分の寸法又は特定の形状に関しては、それが概ねＣ型であることのみを除けば、厳密な要求は無い。該概ねＣ型の第１部分は該外周での直線状又はカーブした要素から成る。
【００１７】
該順応性膜は第１、第２，第３及び第４エッジを有し、そこでは圧力感応性接着剤のストリップ２０は前記第１，第２，第３エッジの各１つに沿って第１面上に配置され、第４エッジは、該第４エッジに隣接するエッジから続く接着剤部分を除けば、圧力感応性接着剤は実質的に無しである。この実施例では、前記第１、第２そして第３エッジに沿う前記圧力感応性接着剤を１つ以上のリリースライナーがカバーしている。
【００１８】
使用する前に、該圧力感応性接着剤境界部２０は１枚以上のリリースライナー１４で保護されている。リリースライナー１４はオプション的にタブ（ｔａｂ）２６を有しており、該タブは組み立てられた担体提供式包帯では順応性膜バッキング（ｃｏｎｆｏｒｍａｂｌｅ  ｆｉｌｍ  ｂａｃｋｉｎｇ  ）１２を超えて延び、それにより該順応性膜の圧力感応性接着剤が個人の皮膚（ｓｋｉｎ  ｏｆ  ａｎ  ｉｎｄｉｖｉｄｕａｌ）に接触する前に該リリースライナーを除去することを容易にする。
【００１９】
該順応性バッキングの第２面１８は担体シート１６にリリース可能に取り付けられる。順応性バッキング１２の上面１８と担体シート１６の下面（図１に示されてない）との間の結合（ｂｏｎｄ）は該圧力感応性接着剤２０と、該順応性膜が付けられる該個人の皮膚と、の間の結合より弱い（ｗｅａｋｅｒ）。かくして、該担体シート１６は、１枚以上のリリースライナー１４の除去に続いて該順応性膜を該皮膚に提供するため使われる。該順応性膜が該皮膚に付けられると、該担体シートと該順応性膜との間の該比較的弱い結合（ｂｏｎｄｉｎｇ）は、該担体１６を該皮膚から剥ぐ（ｐｅｅｌｉｎｇ  ｔｈｅ  ｃａｒｒｉｅｒ  １６  ａｗａｙ）ことにより破られ、該皮膚上の位置に該順応性膜１２を残す。該担体シート１６は除去（ｒｅｍｏｖａｌ）に続いて捨てられる（ｄｉｓｃａｒｄｅｄ）。上記で論じた様に、加熱シール結合は該順応性膜１２の上面１８と該担体１６との間の適切に弱い結合（ｃｏｎｎｅｃｔｉｏｎ）を提供する。該順応性膜１２の該上面１８上のオプションの低接着性コーティングは適切に弱い結合に寄与する。透明な担体の使用はユーザーに該順応性膜を精度良く（ｗｉｔｈ  ｐｅｒｃｉｓｉｏｎ）付けさせる。タブ２６は、人に、付けられた順応性膜１２からの該担体の分離を容易に始動させるために担体シート１６上に提供される。この様なタブの数と位置は設計上の選択の問題であることを当業者は認識するであろう。
【００２０】
図２を参照すると、長い切開創３６上に付けられた本発明の３つの包帯が示されている。包帯３０，３２そして３４は順に（ｉｎ  ｓｅｑｕｅｎｃｅ）付けられ、実質的に接着剤の無い端部が切開創又は裂創をブリッジ（ｂｒｉｄｇｉｎｇ）し、それを重畳されそして重なり合い配列された隣接する包帯（ｏｖｅｒｌａｐｐｅｄ  ａｎｄ  ｓｈｉｎｇｌｅｄ  ａｄｊａｃｅｎｔ  ｄｒｅｓｓｉｎｇ）上の接着剤から保護している。図２に示される様に、圧力感応性接着剤２０を有する順応性膜の部分３０，３２そして３４は切開創３６と接触しない。本質的に、順応性膜の追加３２及び３４は、順応性膜３０の付着で最初に確立された、部分的に保護された帯域２２の延長をもたらす。部分的に保護された帯域２２の開いた端部３８は、該切開創又は裂創を超えた延長に続いて、例えば幅広のテープストリップ又は他の接着剤／膜複合物を使って閉じるかシールされるのが好ましく、それにより完全に保護された帯域を形成する。
【００２１】
当業者は、図１に示すそれと類似であるが、連続する外周全体の周りに圧力感応性接着剤の境界部を有する担体提供式包帯が図１に示す包帯と実質的に類似の仕方で動作するよう修正され得ることを認識するであろう。これは、例えば、分離式に除去可能なリリースライナーを使って該圧力感応性接着剤の部分をマスクすることにより達成され得る。代わって、除去可能な膜／接着剤部分を有する包帯は、膜の圧力感応性接着剤に裏打ちされた部分（ｐｒｅｓｓｕｒｅ−ｓｅｎｓｉｔｉｖｅ  ａｄｈｅｓｉｖｅ−ｂａｃｋｅｄ  ｐｏｒｔｉｏｎ  ｏｆ  ｆｉｌｍ）の簡便で無菌の除去を実現するよう設計され得て、それにより延長され保護された帯域を提供するよう包帯を同様に順に付着させることを可能にする。
【００２２】
連続する外周に沿い圧力感応性接着剤の連続ストリップを有する順応性膜を備える担体提供式包帯は２つのセクション、すなわち、概ねＣ型のセクションと第２セクションと、を具備する。この担体提供式包帯は更に、該概ねＣ型のセクション上の圧力感応性の接着剤ストリップをカバーする１つ以上のリリースライナーと、該第２セクションを保護するオプションの除去可能なリリースライナーと、そして順応性膜の第２面の少なくとも１部分にリリース可能に取り付けられた担体と、を具備する。
【００２３】
代わりに、本発明の担体提供式包帯は、前記第１、第２、第３そして第４エッジの各１つに沿って前記第１面上に配置された圧力感応性接着剤のストリップを有する順応性膜と、前記第１，第２そして第３エッジに沿って前記圧力感応性接着剤をカバーする１つ以上のリリースライナーと、そして該第４エッジの少なくとも１部分に沿って配置される該圧力感応性接着剤をカバーするオプション的に除去可能なリリースライナーと、を具備してもよい。この実施例では、該オプション的に除去可能なリリースライナーは該担体提供式包帯と組み合わされる他のリリースライナーから独立に除去可能である。
【００２４】
図３を参照すると、本発明のこの様な実施例が線図式に描かれている。担体提供式包帯４０は３つの基盤材料層、すなわち順応性膜１２，リリースライナー１４そして担体材料１６、から成る。順応性膜１２は第１面（下面）上に接着剤の無い帯域４２を囲む圧力感応性接着剤の境界部２０を有する。使用前、該圧力感応性接着剤はリリースライナー１４及び１５により保護される。リリースライナー１４及び１５は圧力感応性接着剤２０との接触点を超えて延びるタブ４４及び４６を有し、それにより、もし望むなら、該順応性膜の皮膚への付着前に該リリースライナーの除去を容易にする。
【００２５】
明らかに該リリースライナー１４の少なくとも１つの除去は皮膚への順応性バッキング（ｃｏｎｆｏｒｍａｂｌｅ  ｂａｃｋｉｎｇ）の付着前に必要になる。しかしながら、本発明の実施例は長い裂創又は切開創を包帯する（ｄｒｅｓｓｉｎｇ）ことに使うよう意図されている。かくして、１つのリリースライナー１４のみを除去することにより、本発明の包帯は、負傷範囲（ｉｎｊｕｒｅｄ  ａｒｅａ）への接着剤の接触無しに長い切開創又は裂創を包帯するために重畳した又は重なり合い配列のフオーマット（ｏｖｅｒｌａｐｐｉｎｇ  ｏｒ  ｓｈｉｎｇｌｅｄ  ｆｏｒｍａｔ）で使われることが出来る。この方法で使われる時、リリースライナー１５は、圧力感応性接着剤境界部の部分と包帯されるべき負傷範囲との間の接触を防止する。中央部分からカットされた窓４８を有するリリースライナー１４が示されている。この窓の枠（ｆｒａｍｅ  ｏｆ  ｔｈｉｓ  ｗｉｎｄｏｗ）５０は、組み立てられた担体提供式包帯の順応性膜上の圧力感応性接着剤境界部の内側境界（ｉｎｎｅｒ  ｂｏｕｎｄａｒｙ）に概ね対応する。該接着剤の位置付け（ｐｏｓｉｔｉｏｎｉｎｇ）と性質（ｎａｔｕｒｅ）は、傷又は切開創へ多数のデバイスがタンデムで（ｉｎ  ｔａｎｄｅｍ）付けられた時、該接着剤が保護シールを形成するよう機能して、該傷の非殺菌環境（ｎｏｎ−ｓｔｅｒｉｌｅ  ｅｎｖｉｒｏｎｍｅｎｔ）からの汚損を防止するようになっている。
【００２６】
該順応性バッキングの第２面１２（図１で示す上面）は担体シート１６の下面に取り付けられる。該順応性バッキング１２と該担体シート１６の間の結合は圧力感応性接着剤２０と、該順応性膜が付けられる個人の皮膚と、の間の結合より弱い。かくして、該担体シート１６は、１つ以上のリリースライナー１４及び１５の除去に続いて該順応性膜を皮膚に提供するため使われる。該順応性膜が該皮膚に付けられると、該担体シートが除去され、捨てられる時、該担体シートと該順応性膜の間の比較的弱い結合は破られる。上記で論じた様に、加熱シール結合は該順応性膜と該担体の間の適切に弱い結合を提供する。該順応性膜の上面のオプションの低接着性コーティングは適切に弱い結合に寄与する。透明な担体を使用することはユーザーが精密に該順応性膜を付けることを可能にする。付着された順応性膜１２からの該担体の分離を人に容易に始動させるためにタブ５２及び５４が担体シート１６上に提供される。
【００２７】
リリースライナー１５の除去無しに、この実施例の包帯を直列に付着させることは、外周の１部分に沿って圧力感応性接着剤を欠く実施例と関連して上記で説明した様に、保護された帯域の延長をもたらす。保護された帯域が充分延長された後、最終包帯が付けられると、リリースライナー１５は除去され得て、それにより該保護された帯域を有効にシールする。
【００２８】
本発明の実施例は、接着剤無しの”開いた端部（ｏｐｅｎ  ｅｎｄ）”又はオプション的に除去可能なリリースライナーが、そのロールの中央に配置されるロールフォーマット（ｒｏｌｌ  ｆｏｒｍａｔ）で提供され得る。ここで説明するロール化された包帯（ｒｏｌｌｅｄ  ｄｒｅｓｓｉｎｇ）を提供された時、ユーザーは該包帯の部分を解き（ｕｎｒｏｌｌ）、リリースライナーの部分を除去し、そして傷の１端付近で部分的に保護された帯域を形成することにより付着過程を始める。この過程は、該ロールが使い切られるまで、又は付着される部分が保護されるべき範囲を超えて延びるまで続く。もし該保護されるべき範囲が該順応性膜により完全にカバーされる前に該ロールを使い切るなら、該部分的に保護された帯域を延ばすために本発明の第２の包帯（ロール又は非ロール形式の）が使われるだろう（最初に付けられた包帯から該担体シートを最初に除去した後）。望まれるカバー範囲（ｃｏｖｅｒａｇｅ  ａｒｅａ）を超えて延びる包帯の過剰部分は望まれない過剰分を切り離す（ｃｕｔｔｉｎｇ  ｏｆｆ）ことにより除去され得る。保護されるべき範囲が完全にカバーされるが、１端でシールされてない、部分的に保護された帯域は、次いでシールされ、テープストリップ又は他の接着剤複合物の付着により完全に保護される。
【図面の簡単な説明】
【００２９】
【図１】順応性膜の外周の概ねＣ型の部分に沿って付着させられた連続する圧力感応性の接着剤ストリップを有する本発明の傷包帯の組立分解斜視図である。
【図２】切開創を保護するために重なり合い配列の仕方で付着させられた本発明の３つの傷包帯を表す平面図である。
【図３】その少なくとも１つがオプション的に除去可能である２つ以上のリリースライナーを有し、順応性膜の外周全体に沿って付けられた圧力感応性接着剤の連続ストリップを備える本発明の傷包帯の組立分解斜視図である。
【図１】
2008512191.tif 000003
【図２】
2008512191.tif 000004
【図３】
2008512191.tif 000005